(57)【要約】【課題】ホスト名の設定に係る作業を行うことなく、ネットワークに接続するだけで、ホスト名を利用したデータ通信を行うことができるネットワークユニット及びこれを内蔵するネットワーク装置を提供する。【解決手段】製造段階に、ネットワークユニットのＭＡＣアドレスを利用して設定したホスト名を、第２の記憶装置３に書き込んでおくことで、利用者はネットワーク７に接続するだけで、ホスト名を利用したデータ通信を開始できる。このホスト名は、利用者が任意に書き換えることや、初期化ボタン６によって第１の記憶装置２が記憶する内容に初期化することも可能である。【選択図】        図１
2004153643.tif 000002
【特許請求の範囲】
【請求項１】
ネットワーク装置に内蔵され、ネットワークに接続されて所定の通信プロトコルを用いて通信を行うネットワークユニットであって、
前記ネットワーク装置を識別する名称を記憶している不揮発性の第１の記憶装置と、
初期値として前記第１の記憶装置と同じ前記名称を記憶している書き換え可能な第２の記憶装置と、
前記ネットワーク及び前記第２の記憶装置に接続され、前記第２の記憶装置から読み出した前記名称を前記ネットワーク装置のホスト名として利用し、前記ネットワーク上で、前記ネットワーク装置のデータを送受信するデータ通信部と、
前記第１、第２の記憶装置及び前記データ通信部に接続され、前記第２の記憶装置の記憶内容を制御する記憶制御部と、
前記記憶制御部に対して、前記第２の記憶装置の記憶内容を、前記第１の記憶装置から読み出した前記名称に、書き換えさせる初期化手段と、
を備えることを特徴とするネットワークユニット。
【請求項２】
請求項１に記載のネットワークユニットであって、
前記第１の記憶装置が記憶する前記名称は、前記ネットワークユニットのハードウェアアドレスを利用して一意的に定められることを特徴とするネットワークユニット。
【請求項３】
請求項１に記載のネットワークユニットであって、
前記データ通信部が前記ネットワークを介して命令信号を受信すると、前記記憶制御部は前記命令信号に従い、前記第２の記憶装置が記憶する前記記憶内容を書き換えることを特徴とするネットワークユニット。
【請求項４】
請求項１に記載のネットワークユニットであって、
前記初期化手段は、前記記憶制御部に接続され、前記記憶制御部に制御信号を入力する初期化ボタンであることを特徴とするネットワークユニット。
【請求項５】
請求項１ないし請求項４のいずれかに記載のネットワークユニットを内蔵するネットワーク装置。
【発明の詳細な説明】
【０００１】
【発明の属する技術分野】
この発明は、ネットワークユニット及びこれを内蔵するネットワーク装置に関連する技術に関する。
【０００２】
【従来の技術】
ネットワーク上で、カメラサーバーやデータレコーダーなどのネットワーク装置を利用し、カメラサーバーで撮像した動画像データや、データレコーダーが記憶するデータを送受信するには、データの送信元及び送信先を明らかにする必要がある。
【０００３】
そのため、ネットワーク上のカメラサーバーやデータレコーダーなどの各ネットワーク装置に一意的なＩＰアドレスを割り当て、このＩＰアドレスを各ネットワークの識別に利用している。しかし、ＩＰアドレスは３２ビットのビット列から成り、８ビットずつに区切られた４つの十進数の羅列で表されるため、利用者がＩＰアドレスを記憶することは困難であり、扱いにくい。
【０００４】
そこで、ＩＰアドレスに比較して利用者が扱いやすいように、自然言語に近いホスト名を、ＩＰアドレスに対応させて設定し、このホスト名を利用してネットワーク上の各ネットワーク装置を識別する方法が取られている。
【０００５】
このホスト名は、利用者が手動により各装置に設定する方法の他、専用のシステムを用いてホスト名に相当するＩＤを自動的に生成し管理する方法がある（特許文献１参照）。
【０００６】
【特許文献１】
特開平１２−３５５３０３号公報
【０００７】
【発明が解決しようとする課題】
従来、工場出荷状態のネットワーク装置にはホスト名が設定されていないため、ホスト名を利用するには、利用者が利用する段階において、手動でホスト名を設定する必要があった。この設定は、ネットワーク装置を単独で、またはネットワークを介してコンピュータ装置に接続し、利用者がコンピュータ装置を操作することで行う手間のかかる作業であった。さらに、ホスト名は各装置を識別するために利用することから、複数の装置を利用する場合、全ての装置にそれぞれ異なる一意的なホスト名を設定する必要があり、利用者はそのための作業に多大な手間と時間を必要としていた。
【０００８】
また、上述した専用のシステムを用い、ホスト名に相当するＩＤを自動的に生成し管理する方法では、利用者がＩＤを手動で設定する必要はなくなるが、ネットワーク上に専用のソフトウェアやサーバーを導入する必要がある上に、設定されるＩＤと各装置の関係を予測できず、これ知るためには、システムから対応表を読み出し確認する必要があった。
【０００９】
そこで、この発明の課題は、利用者がホスト名の設定に係る作業を行うことなくネットワークに接続するだけで、各ネットワーク装置固有の一意的なホスト名を利用することができ、さらに対応表などを利用することなく容易にホスト名を管理することができるネットワークユニット及びこれを内蔵するネットワーク装置を提供することにある。
【００１０】
【課題を解決するための手段】
上記課題を解決すべく、請求項１に記載の発明は、ネットワーク装置に内蔵され、ネットワークに接続されて所定の通信プロトコルを用いて通信を行うネットワークユニットであって、前記ネットワーク装置を識別する名称を記憶している不揮発性の第１の記憶装置と、初期値として前記第１の記憶装置と同じ前記名称を記憶している書き換え可能な第２の記憶装置と、前記ネットワーク及び前記第２の記憶装置に接続され、前記第２の記憶装置から読み出した前記名称を前記ネットワーク装置のホスト名として利用し、前記ネットワーク上で、前記ネットワーク装置のデータを送受信するデータ通信部と、前記第１、第２の記憶装置及び前記データ通信部に接続され、前記第２の記憶装置の記憶内容を制御する記憶制御部と、前記記憶制御部に対して、前記第２の記憶装置の記憶内容を、前記第１の記憶装置から読み出した前記名称に、書き換えさせる初期化手段と、を備えることを特徴とするものである。
【００１１】
請求項２に記載の発明は、請求項１に記載のネットワークユニットであって、前記第１の記憶装置が記憶する前記名称は、前記ネットワークユニットのハードウェアアドレスを利用した一意的なものであることを特徴とするものである。
【００１２】
請求項３に記載の発明は、請求項１に記載のネットワークユニットであって、前記データ通信部が前記ネットワークを介して命令信号を受信すると、前記記憶制御部は前記命令信号に従い、前記第２の記憶装置が記憶する前記記憶内容を書き換えることを特徴とするものである。
【００１３】
請求項４に記載の発明は、請求項１に記載のネットワークユニットであって、前記初期化手段は、前記記憶制御部に接続され、前記記憶制御部に制御信号を入力する初期化ボタンであることを特徴とするものである。
【００１４】
請求項５に記載の発明は、請求項１ないし請求項４のいずれかに記載のネットワークユニットを内蔵するネットワーク装置であることを特徴とするものである。
【００１５】
【発明の実施の形態】
図１はこの発明の一の実施の形態に係るネットワークユニット１の構成を示すブロック図である。図１の如く、本ネットワークユニット１は、製造メーカーが設定したホスト名を記憶している第１の記憶装置２と、ネットワーク７上で用いるホスト名を記憶している第２の記憶装置３と、ネットワーク７及び第２の記憶装置３に接続され第２の記憶装置３から読み出した記憶内容をホスト名として利用し、所定のプロトコルを用いてネットワーク上でデータの送受信を行うデータ通信部４と、第１，第２の記憶装置２，３及びデータ通信部４に接続され第２の記憶装置３の記憶内容を制御する記憶制御部５と、記憶制御部５に接続され記憶制御部５に制御信号を入力する初期化ボタン６（初期化手段）とを備えている。
【００１６】
本ネットワークユニット１は、カメラサーバーやデータレコーダーなどのネットワーク装置９に内蔵され、ネットワーク７を利用してデータの送受信を行う機能部品である。具体的には、ネットワーク７とデータ処理部８との間で、ネットワーク上で送受信できるデータ形式と、カメラサーバーの撮像した動画像データやデータレコーダーに書き込まれる、または読み出されるデータ形式とを、変換するネットワークインターフェースとして機能する。
【００１７】
第１の記憶装置２は不揮発性の記憶装置であり、製造段階において製造メーカーによって書き込まれた記憶内容を保持し続ける。書き込まれる内容は、本ネットワークユニット１を内蔵するネットワーク装置９を一意的に示す名称であり、この名称はネットワーク上でホスト名として利用できる形式のものである。
【００１８】
第２の記憶装置３は書き換え可能な記憶装置であり、製造段階において製造メーカーにより、初期値として第１の記憶装置２と同じ内容が書き込まれている。第２の記憶装置３が記憶する内容は、本ネットワークユニット１を内蔵するネットワーク装置９のネットワーク上でのホスト名として直接利用される。この記憶内容は利用者が任意の内容に書き換えることが可能である。
【００１９】
データ通信部４は、ネットワーク上で、例えばＴＣＰ／ＩＰやＮｅｔＢＥＵＩなど所定のプロトコルを利用したデータ通信を行う。ネットワーク上で本ネットワークユニット１を内蔵するネットワーク装置９を識別するホスト名には、上述したように第２の記憶装置３から読み出した記憶内容を利用し、送受信するデータのヘッダ部に付加する機能を持つ。また、ネットワーク７を介して利用者からのホスト名変更に係る命令信号を受信すると、これを記憶制御部５に伝達する機能を持つ。なお、データ通信部４が送受信するデータは、本ネットワークユニット１を内蔵するネットワーク装置９内でデータ処理部８から受け取るデータであり、ネットワーク装置９がカメラサーバーである場合にはカメラが撮像した動画像データであり、データレコーダーである場合にはデータレコーダーに書き込まれる、または読み出されるデータである。
【００２０】
記憶制御部５は、ネットワーク７からデータ通信部４を介して、利用者がホスト名変更に係る命令信号を送信したことを認識すると、第２の記憶装置３の記憶内容を、利用者が指定した任意のホスト名に書き換える機能を持つ。また、初期化ボタン６からホスト名初期化に係る制御信号が入力されると、第２の記憶装置３の記憶内容を、第１の記憶装置２から読み出した内容に書き換える、即ち製造段階の状態に初期化する機能を持つ。
【００２１】
初期化ボタン６は、利用者が押し下げることによって、記憶制御部５にネットワーク上で利用するホスト名の初期化を命令する制御信号を送信する。
【００２２】
なお、データ通信部４及び記憶制御部５の機能は、メモリーやＣＰＵなどから成る専用のハードウェア及びＣＰＵ内において動作する専用のソフトウェアにより実現される。
【００２３】
次に、本ネットワークユニット１を内蔵するネットワーク装置９のホスト名を利用したデータ通信に係る動作について図１及び図２を参照しながら説明する。
【００２４】
｛ホスト名初期値の利用｝
ネットワーク７を利用したデータ通信は、データの送信先または受信したデータの送信元を識別し特定するための情報を、送受信するデータに含めた形で行われる。通常、この情報としては、ネットワーク上で各ネットワーク装置９に一意的に割り当てられたＩＰアドレスが用いられる。しかし、数字の羅列であるＩＰアドレスを記憶することは困難で利用者が扱いにくいため、実際には、英数字を用いた自然言語に近いホスト名をＩＰアドレスに対応させて利用することが多い。このホスト名は、各ネットワーク装置に対して、利用者が任意に設定することができる。
【００２５】
例えば、図２に示したように、本ネットワークユニット１Ａ〜１Ｃ（全てのネットワークユニットを指す場合はネットワークユニット１と記す）を内蔵した２台のカメラサーバー１０Ａ，１０Ｂ及びデータレコーダー１１が、ネットワークに接続され、それぞれに１９２．１６９．１２３．１，１９２．１６９．１２３．２，１９２．１６９．１２３．３というＩＰアドレスが割り当てられているとする。利用者が、コンピューター装置１２を使って、各ネットワーク装置１０Ａ，１０Ｂ及び１１のデータを扱うために、これらのＩＰアドレスを利用すれば、非常に煩雑な作業となる。しかし、予めカメラサーバー１０Ａ，１０Ｂにはｃａｍｅｒａ０１，ｃａｍｅｒａ０２、データレコーダー１１にはｄｖｒ０１というように利用者の扱いやすいホスト名を設定しておけば、利用者はＩＰアドレスを利用する場合に比べて容易にデータの送受信先を指定することができる。また、ＩＰアドレスと各ネットワーク装置の対応にくらべ、ホスト名と各ネットワーク装置の対応は分かりやすく扱いやすい。
【００２６】
そのため、ネットワーク装置を利用する場合にはホスト名を利用する場合が多いが、従来のネットワーク装置で、このホスト名を利用するには、まずネットワーク装置をネットワークに接続し、利用者が各ネットワーク装置のホスト名をコンピュータ装置から入力設定する必要があった。
【００２７】
しかし、本ネットワークユニット１には、製造段階において第２の記憶装置３に初期値として適当なホスト名が書き込まれている。これにより、利用者は本ネットワークユニット１を内蔵したネットワーク装置１０Ａ，１０Ｂ及び１１を購入後、これらをネットワーク７に接続するだけで、ホスト名設定に係る作業を一切行うことなくホスト名を利用したデータ通信を行うことができる。
【００２８】
｛一意的なホスト名｝
上述したように、ホスト名はネットワーク上で各ネットワーク装置を識別するために利用されるものであるから、全てのホスト名はネットワーク上において一意的なものでなければならない。従来は、利用者がこれを考慮して、各ネットワーク装置に適当なホスト名を割り当て、設定する作業を行っていた。
【００２９】
そこで、本ネットワークインターフェース１を内蔵するネットワーク装置９においては、これらの作業を行う必要がないよう、予めネットワーク上で一意的となるホスト名を第２の記憶装置３に記憶させる。
【００３０】
各ネットワーク装置９に割り当てるホスト名には、ネットワークインターフェース１の持つハードウェアアドレスであるＭＡＣアドレスを利用する。ＭＡＣアドレスは１２桁の１６進数で表され、上６桁がネットワークインターフェース１を製造する製造メーカーに割り当てられたベンダ識別子であり、下６桁は各製造メーカーが自社で製造したネットワークインターフェース１に任意に割り当てるノード番号である。各ネットワークインターフェース１の持つＭＡＣアドレスは、各ネットワークインターフェース１を地球規模で識別するために、世界唯一の値となるように設定されている。
【００３１】
そのため、このＭＡＣアドレスと１対１で対応するホスト名は、ネットワーク７上において一意的なものとなる。さらに、ホスト名をつける際に、ネットワーク装置９の特徴を示す名称や略称を利用することで、製造メーカーが独自に割り当てたホスト名であっても、ネットワーク装置の外観や機能などの特徴から、ホスト名とネットワーク装置９との対応を利用者が予測し、認識できるホスト名とする。
【００３２】
具体的には、例えばカメラサーバー１０Ａ，１０ＢのＭＡＣアドレスが、それぞれ、ａａ−ｂｂ−ｃｃ−１５−１１−ＦＡ、ａａ−ｂｂ−ｃｃ−１５−１１−ＦＢのネットワークユニット１を内蔵している場合、ＭＡＣアドレスの下６桁を用い、カメラサーバー１０Ａ，１０Ｂのホスト名を、それぞれＣＡＭ１５１１ＦＡ，ＣＡＭ１５１１ＦＢとする。この方法であれば、製造メーカーが製造するカメラサーバーにおいて一意的なホスト名となる。そのため、利用者は、このカメラサーバー１０Ａ，１０Ｂを購入後、ホスト名の設定や変更に係る作業を行うことなく、ネットワークに接続するだけで、カメラサーバー１０Ａ，１０Ｂのホスト名を利用することができる。さらに、ネットワーク上のホスト名ＣＡＭ１５１１ＦＡ，ＣＡＭ１５１１ＦＢを見れば、そのホスト名からカメラサーバー１０Ａ，１０Ｂのホスト名であることや、ＭＡＣアドレスからどちらのホスト名がカメラサーバー１０Ａのものであるかを予測、認識することができる。また、製造段階において、各ネットワーク装置のＭＡＣアドレスを、利用者の確認しやすいネットワーク装置の筐体上に表示しておけば、利用者は、ネットワーク装置のＭＡＣアドレスを容易に認識し、ホスト名を予測することができる。
【００３３】
これにより、利用者は、同じネットワーク装置を複数台導入する場合であっても、各ネットワーク装置をネットワーク７に接続するだけで、ホスト名設定に係る作業を一切行うことなくホスト名を利用することができる。また、各ネットワーク装置と各ホスト名の対応について、各ネットワーク装置のＭＡＣアドレスから、割り当てられているホスト名を容易に予測することが可能である。
【００３４】
｛ホスト名とセキュリティ｝
しかし、ＭＡＣアドレスから容易に予測できるホスト名は、利用者以外の者にも利用される恐れがあり、セキュリティ上問題になる場合がある。このような場合には、ホスト名の割り当て方法を変更する。
【００３５】
例えば、ＭＡＣアドレスからさらに多くの桁数を抜き出し、これらの数値を所定の法則に従って並べ替えてから利用する方法や、抜き出した数値に対して論理和や論理積など所定の基本論理演算を施した上で利用する方法など、ＭＡＣアドレスと１対１で対応する一意的なホスト名ではあるが、ＭＡＣアドレスとの対応を容易に認識することはできない方法をとる。
【００３６】
なお、このような暗号化に係る方法を利用しホスト名を決定する場合であっても、製造段階においてホスト名を決めることができるため、各ネットワーク装置の製造番号またはＭＡＣアドレスと設定したホスト名とを記載したカードやシールなどを作成し、各ネットワーク装置に同梱することができる。これにより、利用者は、これらの記載から、各ネットワーク装置とホスト名との対応を認識することが可能である。また、ホスト名とネットワーク装置の対応について、同梱されたカードやシールを利用して、容易に対応表を作成することもできる。
【００３７】
このように、ＭＡＣアドレスを利用した一意的なホスト名を製造メーカーが製造段階において各ネットワーク装置に対し設定し、これを第２の記憶装置３に書き込んでおくことで、利用者は、同じ製品を複数台購入した場合であっても、各ネットワーク装置のホスト名に係る設定や変更作業を行うことなく、ネットワークに接続するだけで、ホスト名を利用することができる。さらに、ネットワーク上のホスト名と、各ネットワーク装置との対応を利用者が認識できるようにしておくことで、利用者は各ホスト名とネットワーク装置との対応を認識するために余分な作業を行う必要がなくなる。
【００３８】
｛ホスト名の変更｝
本ネットワークユニット１には、上述したように、製造メーカーにより製造段階においてＭＡＣアドレスを利用した一意的なホスト名が第２の記憶装置３に書き込まれており、利用者は本ネットワークユニット１を内蔵したネットワーク装置１０Ａ，１０Ｂ及び１１を購入後、ネットワーク７に接続するだけで、ホスト名を利用したデータ通信を行うことができる。しかし、利用者は、各ネットワーク装置１０Ａ，１０Ｂ及び１１のホスト名を所望のホスト名に変更することも可能である。
【００３９】
利用者は、各ネットワーク装置１０Ａ，１０Ｂ及び１１をネットワーク７に接続した状態で、同じくネットワーク７に接続されたコンピュータ装置１２を操作し、ネットワーク７を介した遠隔操作によって、各ネットワーク装置１０Ａ，１０Ｂ及び１１のホスト名を変更することができる。
【００４０】
各ネットワーク装置１０Ａ，１０Ｂ及び１１に内蔵された各ネットワークユニット１のデータ通信部４は、ネットワーク７を介して、利用者の操作するコンピュータ装置１２からホスト名変更の命令を受信すると、これを記憶制御部５に伝達する。これを受けた記憶制御部５は、第２の記憶装置３の記憶内容を利用者が指示した新しいホスト名に書き換える。このように、データ通信部４及び記憶制御部５によって、データの送受信に利用するホスト名である第２の記憶装置３の記憶内容を、利用者が所望する任意の内容に変更することが可能である。
【００４１】
これにより、利用者は、製造メーカーにより初期設定されたホスト名を利用せず、所望する任意のホスト名をネットワーク装置に割り当て利用することもできる。
【００４２】
｛ホスト名の初期化｝
本ネットワークユニット１は、初期化ボタン６を備えており、利用者がこのボタンを押すことで、いつでもホスト名を、第１の記憶装置２が記憶する製造段階に製造メーカーによって割り当てられたホスト名に、初期化することができる。
【００４３】
利用者が、初期化ボタン６を押すと、初期化ボタン６から記憶制御部５に制御信号が送信される。記憶制御部５は、この制御信号を受信すると、第１の記憶装置２が記憶しているホスト名を読み出し、これを第２の記憶装置３に書き込む。このように、各ネットワーク装置１０Ａ，１０Ｂ及び１１のホスト名は、初期化ボタンを押すだけで、製造メーカーにより割り当てられたホスト名に容易に初期化することができる。
【００４４】
これにより、ホスト名変更に係る作業中に停電などの異常が生じ、第２の記憶装置３の記憶内容が利用者の意図しないものになった場合、利用者が過去に設定したホスト名を忘れ初期化を望む場合、ネットワーク環境の変更や利用者の変更によりホスト名の初期化を望む場合などでも、利用者は初期化ボタン６を押すだけで容易にホスト名を初期化することが可能である。
【００４５】
また、ホスト名の初期化は、初期化ボタン６による操作の他、ネットワーク７を介したコンピュータ装置１２からの遠隔操作により行うことも可能である。ネットワーク装置が複数台設置されている場合や、利用者の操作するコンピュータ装置１２から遠く離れて設置されている場合には、コンピュータ装置１２からホスト名初期化命令を各ネットワーク装置１０Ａ，１０Ｂ及び１１に送信し、これを本ネットワークユニット１のデータ通信部４が記憶制御部５に送ることによって、初期化ボタン６が押されたのと同様の効果を得ることができる。
【００４６】
これにより、利用者は、初期化ボタン６が押せない遠隔地にネットワーク装置が設置されている場合や、複数台のネットワーク装置を利用している場合でも、コンピュータ装置を操作することで、容易にホスト名を初期化することが可能である。
【００４７】
｛変形例｝
上述した一の実施の形態において、本ネットワークユニットがカメラサーバー及びデータレコーダーに内蔵される場合を示したが、本ネットワークユニットを利用するネットワーク装置は、これらに限らず、他のネットワーク装置であってもよい。また、ネットワークに接続されて利用されるものであれば、ネットワーク家電として機能する冷蔵庫や電子レンジなどの電化製品に内蔵されて利用されてもよいし、ＰＣＩバススロットに対応したボードやＰＣカードの形態をとってネットワークインターフェースとしてコンピューター装置で利用される態様であってもよい。
【００４８】
【発明の効果】
請求項１に記載の発明によれば、ネットワーク装置に内蔵され、ネットワークに接続されて所定の通信プロトコルを用いて通信を行うネットワークユニットであって、前記ネットワーク装置を識別する名称を記憶している不揮発性の第１の記憶装置と、初期値として前記第１の記憶装置と同じ前記名称を記憶している書き換え可能な第２の記憶装置と、前記ネットワーク及び前記第２の記憶装置に接続され、前記第２の記憶装置から読み出した前記名称を前記ネットワーク装置のホスト名として利用し、前記ネットワーク上で、前記ネットワーク装置のデータを送受信するデータ通信部と、前記第１、第２の記憶装置及び前記データ通信部に接続され、前記第２の記憶装置の記憶内容を制御する記憶制御部と、前記記憶制御部に対して、前記第２の記憶装置の記憶内容を、前記第１の記憶装置から読み出した前記名称に書き換えさせる初期化手段と、を備えることから、利用者は、本ネットワークユニットを内蔵するネットワーク装置を購入後、それをネットワークに接続するだけで、ホスト名を利用することが可能である。
【００４９】
請求項２に記載の発明によれば、記第１の記憶装置が記憶する名称はネットワークユニットのハードウェアアドレスを利用した一意的なものであることから、利用者は、本ネットワークユニットを内蔵するネットワーク装置を複数台利用する場合でも、ホスト名変更に係る作業を行う必要なく、ネットワークに接続するだけでホスト名を利用することが可能である。
【００５０】
請求項３に記載の発明によれば、データ通信部がネットワークを介して命令信号を受信すると、記憶制御部は命令信号に従い、第２の記憶装置が記憶する記憶内容を書き換えることから、利用者は、遠隔操作により、ホスト名を容易に変更することが可能である。
【００５１】
請求項４に記載の発明によれば、初期化手段は、記憶制御部に接続され、記憶制御部に制御信号を入力する初期化ボタンであることから、利用者は、初期化ボタンの押下により、容易にホスト名を初期化することが可能である。
【００５２】
請求項５に記載の発明によれば、ネットワークユニットを内蔵するネットワーク装置であれば、カメラサーバーやデータレコーダーなど、様々な種類のネットワーク装置において、ホスト名を容易に利用することができる。
【図面の簡単な説明】
【図１】この発明の一の実施例に係るネットワークユニットを示す図である。
【図２】この発明の一の実施例に係るネットワークの概要を示す図である。
【符号の説明】
１  ネットワークユニット
２  第１の記憶装置
３  第２の記憶装置
４  データ通信部
５  記憶制御部
６  初期化ボタン
７  ネットワーク
８  データ処理部
９  ネットワーク装置
１０Ａ，１０Ｂ  カメラサーバー
１１  データレコーダー
１２  コンピューター装置
【図１】
2004153643.tif 000003
【図２】
2004153643.tif 000004